(57)【要約】【課題】通信線４とリモコン側の接続部６との接続作業を安定して行うことができるリモコン１を提供することにある。【解決手段】リモコン１は、電気機器に通じる通信線４が巻き付けられる巻線部５と、通信線４の先端に接続する接続部６とを備える。これにより、巻線部５に通信線４が巻き付けられると、リモコン１は自重により通信線４にぶら下がることができる。このため、リモコン１を保持する必要がなくなるので、一方の手で通信線４の先端と接続部６との位置合わせを行いつつ、他方の手でドライバ等の工具１２の操作のみを行うことができる。この結果、通信線４と接続部６との接続作業を安定して行うことができる。【選択図】図３
2008039328.tif 000002
【特許請求の範囲】
【請求項１】
壁面に設置され、電気機器との間で有線通信により電気信号を送受信するリモコンにおいて、
前記電気機器に通じる通信線が仮固定される仮固定部と、
前記通信線の先端に接続する接続部とを備えるリモコン。
【請求項２】
請求項１に記載のリモコンにおいて、
前記仮固定部は、前記通信線が巻き付けられる巻線部であることを特徴とするリモコン。
【請求項３】
請求項２に記載のリモコンにおいて、
前記通信線は、前記巻線部に巻き付いたときの巻回状態を維持しながら前記巻線部から離脱できることを特徴とするリモコン。
【請求項４】
請求項３に記載のリモコンにおいて、
前記巻線部は、前記接続部を有する本体に回動自在に取り付けられた板状部材に設けられていることを特徴とするリモコン。
【請求項５】
請求項４に記載のリモコンにおいて、
前記板状部材は、厚み方向に回動軸が設けられていることを特徴とするリモコン。
【発明の詳細な説明】
【技術分野】
【０００１】
本発明は、壁面に設置され、電気機器との間で有線通信により電気信号を送受信するリモコンに関する。
【背景技術】
【０００２】
従来より、屋外に配置される給湯器等の電気機器を有線通信により遠隔制御するため、屋内にリモコンを設置し、リモコンと電気機器とを通信線により接続することが行われている（例えば、特許文献１参照）。
【０００３】
ところで、リモコンを壁面に設置する場合、壁側の通信線とリモコン側の接続部とを接続する作業が必要となる。そして、従来のリモコン１００によれば、壁側の通信線１０１とリモコン側の接続部１０２との接続作業は、図９に示すように、リモコン１００と通信線１０１とを一方の手で同時に保持し他方の手でドライバ等の工具１０３を操作しながら行われる。
【０００４】
つまり、従来のリモコン１００によれば、一方の手でリモコン１００と通信線１０１とを保持してリモコン１００の落下を防止しつつ、他方の手で通信線１０１の先端と接続部１０２との位置合わせおよび工具１０３の操作を行う。このため、通信線１０１と接続部１０２との接続作業は、作業時間が長くなったり、リモコン１００が落下して破損したりする虞が高く、極めて不安定である。
【特許文献１】特開２００３−４９４６７号公報
【発明の開示】
【発明が解決しようとする課題】
【０００５】
本発明は、上記の問題点を解決するためになされたものであり、通信線とリモコン側の接続部との接続作業を安定して行うことができるリモコンを提供することにある。
【課題を解決するための手段】
【０００６】
〔請求項１の手段〕
請求項１に記載のリモコンは、壁面に設置され、電気機器との間で有線通信により電気信号を送受信するものである。そして、このリモコンは、電気機器に通じる通信線が仮固定される仮固定部と、通信線の先端に接続する接続部（リモコン側の接続部）とを備える。
これにより、仮固定部に通信線が仮固定されると、リモコンは自重により通信線にぶら下がることができる。このため、リモコンを保持する必要がなくなるので、一方の手で通信線の先端とリモコン側の接続部との位置合わせを行いつつ、他方の手で工具の操作のみを行うことができる。この結果、通信線と接続部との接続作業を安定して行うことができる。
【０００７】
〔請求項２の手段〕
請求項２に記載のリモコンによれば、仮固定部は、通信線が巻き付けられる巻線部である。
この手段は、仮固定部の一形態を示すものである。そして、仮固定部を巻線部とすることにより、通信線は、巻線部に巻き付けられて仮固定される。
【０００８】
〔請求項３の手段〕
請求項３に記載のリモコンによれば、通信線は、巻線部に巻き付いたときの巻回状態を維持しながら巻線部から離脱できる。
巻線部は、上記のとおり、通信線と接続部との接続作業を行う者が安定して作業を行うために必要とされるが、電気機器の使用者にとって不要な部分である。よって、巻線部は、リモコンを壁面に設置した後に人目に付かないようにリモコンの裏面、つまり、壁面への設置面に設けるのが好ましい。そして、巻線部をリモコンの裏面に設けた場合、通信線を巻線部から離脱できないと通信線の巻き付きにより、リモコンの裏面に凹凸が生じ、リモコンの設置状態が不安定になる。
そこで、通信線が巻線部に巻き付いたときの巻回状態を維持しながら巻線部から離脱できるように、巻線部を設けておく。これにより、接続作業の終了後に通信線を巻線部から離脱できるので、リモコンの裏面に凹凸が生じず、リモコンの設置状態も安定する。
【０００９】
〔請求項４の手段〕
請求項４に記載のリモコンによれば、巻線部は、接続部を有する本体に回動自在に取り付けられた板状部材に設けられている。
これにより、板状部材を回動させ巻線部を本体から突出する位置に変位させることで、巻線部に通信線を巻き付け易くなる。また、接続作業後、通信線を巻線部から離脱させた後に板状部材を回動させ、巻線部を人目の付かない位置に変位させることができる。
【００１０】
〔請求項５の手段〕
請求項５に記載のリモコンによれば、板状部材は、厚み方向に回動軸が設けられている。
これにより、板状部材は厚み方向に変位することなく回動することができる。このため、リモコンを壁面に設置した後でも、板状部材を回動させ巻線部を人目の付かない位置に変位させることができる。
【発明を実施するための最良の形態】
【００１１】
最良の形態１のリモコンは、壁面に設置され、電気機器との間で有線通信により電気信号を送受信するものである。そして、このリモコンは、電気機器に通じる通信線が仮固定される仮固定部と、通信線の先端に接続する接続部とを備える。また、仮固定部は、通信線が巻き付けられる巻線部である。
【００１２】
最良の形態２のリモコンによれば、通信線は、巻線部に巻き付いたときの巻回状態を維持しながら巻線部から離脱できる。
最良の形態３のリモコンによれば、巻線部は、接続部を有する本体に回動自在に取り付けられた板状部材に設けられている。
最良の形態４のリモコンによれば、板状部材は、厚み方向に回動軸が設けられている。
【実施例１】
【００１３】
〔実施例１の構成〕
実施例１のリモコン１の構成を、図１ないし図２を用いて説明する。
リモコン１は、図１に示すように、屋外に配置される給湯器等の電気機器２を有線通信により遠隔制御するため、例えば屋内の壁面３に設置され、電気機器２との間で電気信号を送受信するものである。そして、リモコン１は、図２に示すように、電気機器２に通じる通信線４が巻き付けられて仮固定される巻線部５と、通信線４の先端に接続する接続部６とを備える。
【００１４】
巻線部５は、後記のように、通信線４と接続部６との接続作業を行う者が安定して作業を行うために必要とされるが、電気機器２の使用者にとって不要な部分である。よって、巻線部５は、リモコン１を壁面３に設置した後に人目に付かないように、例えば、リモコン１の裏面７、つまり、壁面３への設置面に設けられる。
【００１５】
この巻線部５は、例えば、リモコン１の裏面７に、上下２箇所に近接して穴開け加工を施して架橋部９を形成することで設けられる。そして、壁面３から伸びる通信線４を下側の穴からリモコン１の内部に差し入れ、上側の穴からリモコン１の外部に引き出すことで通信線４を巻線部５に巻き付ける。なお、通信線４の先端には、Ｙ型端子１０が圧着されている。
接続部６は、螺子状に設けられ、螺子頭部１１によるＹ型端子１０の挟み込みにより通信線４と接続される。
【００１６】
〔実施例１の効果〕
実施例１のリモコン１は、電気機器２に通じる通信線４が巻き付けられる巻線部５と、通信線４の先端に接続する接続部６とを備える。
これにより、巻線部５に通信線４が巻き付けられると、リモコン１は自重により通信線４にぶら下がることができる。このため、リモコン１を保持する必要がなくなるので、図３に示すように、一方の手で通信線４の先端と接続部６との位置合わせを行いつつ、他方の手でドライバ等の工具１２の操作のみを行うことができる。この結果、通信線４と接続部６との接続作業を安定して行うことができる。
【実施例２】
【００１７】
実施例２のリモコン１によれば、図４に示すように、巻線部５は、リモコン１の裏面７に略Ｃ字状に穴開け加工を施し、裏面７と平行な突起１４を形成することで設けられている。つまり、巻線部５は、架橋的な構造に設けられていないので、通信線４は、巻線部５に巻き付いたときの巻回状態を維持しながら巻線部５から離脱できる。
【００１８】
ここで、巻線部５をリモコン１の裏面７に設けた場合、通信線４を巻線部５から離脱できないと通信線４の巻き付きにより、リモコン１の裏面７に凹凸が生じ、リモコン１の設置状態が不安定になる。そこで、通信線４が巻線部５に巻き付いたときの巻回状態を維持しながら巻線部５から離脱できるように巻線部５を設けておくことで、接続作業の終了後に通信線４を巻線部５から離脱できるので、リモコン１の裏面７に凹凸が生じず、リモコン１の設置状態も安定する。
【実施例３】
【００１９】
実施例３のリモコン１によれば、図５に示すように、巻線部５は、接続部６を有する本体１６に取り付けられる板状部材１７に設けられている。ここで、巻線部５は、図５（ａ）に示すように、板状部材１７の一端側に、厚み方向に穴１８を貫通させることで設けられている。また、穴１８が板状部材１７の側縁に開放されるように切り欠き１９が設けられている。そして、通信線４は、切り欠き１９を通じて巻回状態を維持しながら巻線部５から離脱できる。
【００２０】
また、板状部材１７の他端側には、本体１６に軸受けされる支軸２０が両側縁に設けられ、板状部材１７は、図５（ｃ）に示すように、本体１６に対し回動自在となっている。
これにより、板状部材１７を回動させ巻線部５を本体１６から突出する位置に変位させることで、巻線部５に通信線４を巻き付け易くなる。また、接続作業後、通信線４を巻線部５から離脱させた後に板状部材１７を回動させ、巻線部５を人目の付かない位置に変位させることができる（図６参照）。
【実施例４】
【００２１】
実施例４のリモコン１によれば、図７（ｂ）に示すように、板状部材１７の他端側に、厚み方向に貫通するビス穴２２が設けられ、板状部材１７は、ビス穴２２を通って本体１６に螺合するビス２３により本体１６に締結される。これにより、板状部材１７は、ビス２３を回動軸として側縁側に傾くように回動できる。つまり、板状部材１７は、厚み方向に回動軸が設けられ、厚み方向に変位することなく回動することができる。このため、リモコン１を壁面３に設置した後でも、板状部材１７を回動させ巻線部５を人目の付かない位置に変位させることができる。
【００２２】
〔変形例〕
実施例１〜４のリモコン１によれば、接続部６は、螺子状に設けられ、螺子頭部１１によるＹ型端子１０の挟み込みにより通信線４と接続されるものであったが、図８に示すように、円筒型のスリーブ端子２５としスリーブ端子２５の内部に通信線４の先端を差し込み、かしめることで接続部６と通信線４とを接続するものであってもよい。
また、実施例１〜４のリモコン１によれば、通信線４が仮固定される部位（仮固定部）は巻線部５であったが、通信線４の接続作業中に通信線４からリモコン１が離脱して落下するのを規制できる形態であれば、このような形態に限定されない。例えば、単に通し穴が設けられた部位を仮固定部とし、この通し穴に通信線４を通して仮固定するようにしてもよい。
【図面の簡単な説明】
【００２３】
【図１】リモコンと電気機器との接続を示す説明図である（実施例１）。
【図２】リモコンの要部を示す斜視図である（実施例１）。
【図３】通信線とリモコンの接続部との接続作業を示す説明図である（実施例１）。
【図４】リモコンの要部を示す斜視図である（実施例２）。
【図５】（ａ）は板状部材の斜視図であり、（ｂ）はリモコンの要部および板状部材の回動を示す斜視図であり、（ｃ）は板状部材の回動を示すリモコンの断面図である（実施例３）。
【図６】（ａ）は通信線の巻き付け作業中のリモコンを示す斜視図であり、（ｂ）は通信線の巻き付け作業終了後のリモコンを示す斜視図であり、（ｃ）は通信線の接続作業終了後のリモコンを示す斜視図であり、（ｄ）は通信線を巻線部から離脱させた後のリモコンの斜視図である（実施例３）。
【図７】（ａ）はリモコンの要部および板状部材の回動を示す斜視図であり、（ｂ）はリモコンの断面図である（実施例４）。
【図８】リモコンの要部を示す斜視図である（変形例）。
【図９】通信線とリモコンの接続部との接続作業を示す説明図である（従来例）。
【符号の説明】
【００２４】
１  リモコン
２  電気機器
３  壁面
４  通信線
５  巻線部（仮固定部）
６  接続部
１６  本体
１７  板状部材
【図１】
2008039328.tif 000003
【図２】
2008039328.tif 000004
【図３】
2008039328.tif 000005
【図４】
2008039328.tif 000006
【図５】
2008039328.tif 000007
【図６】
2008039328.tif 000008
【図７】
2008039328.tif 000009
【図８】
2008039328.tif 000010
【図９】
2008039328.tif 000011